(57)【特許請求の範囲】
【請求項１】
所定の形状に成形されたケース部材との間に空間部を形成するケース付属部材を前記ケース部材の外部に取り付けた屋外用電気機器ケースにおいて、
前記ケース部材の開口部の端部は外側にカールされており、前記ケース付属部材は前記空間部を形成する面のうち前記ケース部材と対向する面が前記ケース付属部材で覆われる前記ケース部材の面に対して傾斜している屋外用電気機器ケース。
【請求項２】
前記ケース付属部材は前記空間部を形成する面のうち前記ケース部材と対向する面が前記ケース付属部材で覆われる前記ケース部材の面に対して５°〜３０°傾斜している請求項１に記載の屋外用電器機器ケース。
【請求項３】
前記ケース付属部材がコ字状に成形されている請求項１または２に記載の屋外用電気機器ケース。
【請求項４】
前記ケース付属部材が吊耳座またはカバー固定座である請求項１〜３のいずれか１つに記載の屋外用電気機器ケース。
【発明の詳細な説明】
【０００１】
【発明の属する技術分野】
本発明は主に塩害地域に設置される屋外用電気機器に係り、特にそのケースに関するものである。
【０００２】
【従来の技術】
塩害地域に設置される屋外用電気機器は、そのケースが塩害に耐えるように、防錆処理として亜鉛めっき処理が行われており、またある種の電気機器では、部分的、例えば外気と直接当たる箇所に金属溶射被膜処理することが行われており、特に金属溶射被膜処理が有効であることがわかっている。
【０００３】
【発明が解決しようとする課題】
屋外用電気機器ケースとして、例えば電柱に設置される配電用変圧器では、そのケース付属部材１’として例えば、それぞれ金属製の吊耳座１ａ’、カバー固定座１ｂ’、ハンガ座１ｃ’等があり、図３（Ａ），（Ｂ）に示すように、筒状に成形されて底板を設けた金属製のケース部材２’の側面の上部に、コ字状に成形された吊耳座１ａ’及びカバー固定座１ｂ’がそれぞれ対向するように２個づつ設けられ、またその側面の上下に、コ字状に成形されたハンガ座１ｃ’が設けられ、これらは溶接により取り付けられる。ここで、このように構成されたものをケース本体３’という。なお、図３に示す左側の吊耳座１ａ’はカバー固定座を兼用している。また図３は、ケース部材２’の上端の開口部を閉鎖するカバーを省略して示している。
【０００４】
ところで、ケース付属部材１’は強度、コスト等を考慮して必要最小限の大きさに成形され、ケース部材２はその開口部の端部が外側にカールされている。このようなケース本体３’に対し、吊耳座１ａ’、カバー固定座１ｂ’の内側の面を金属溶射被膜処理しようとすると、溶射ガン４は図４に示すように、カールされた部分に邪魔され、しかも吊耳座１ａ’、カバー固定座１ｂ’が空間部を形成する面のうちケース部材２’の側面と対向する面Ｓａ’とこれらのケース付属部材１’で覆われるケース部材２’の側面との間隔が小さいので、ケース本体３’に対して適正な位置関係が確保されない。すなわち、溶射ガン４をケース部材２’側に大きく倒すと、溶射ガン４の中心軸Ｃを中心とする溶射された金属の吹き付け範囲が吊耳座１ａ’、カバー固定座１ｂ’の先端部から外れることになり、また溶射ガン４をカールされた部分に邪魔されないようにケース部材２’側に倒しても、溶射ガン４の中心軸Ｃを吊耳座１ａ’、カバー固定座１ｂ’の内側の面のうちケース部材２’の側面に対向する面Ｓａ’と略同一面状にしか位置させることができないので、吊耳座１ａ’、カバー固定座１ｂ’により形成された空間部に向けてそれぞれ溶射された金属を、ケース部材２’に対向する吊耳座１ａ’、カバー固定座１ｂ’の内側の面に良好に付着させることができないという問題が生じる。なお、吊耳座１ａ’、カバー固定座１ｂ’の内側の面のうちケース部材２’の側面に対向する面Ｓａ’以外の面については、この面に対して溶射ガン４を傾斜するようにすれば、溶射された金属を良好に付着させることができる。またハンガ座１ｃ’については、ケース部材２’と対向する面とこのハンガ座１ｃ’で覆われるケース部材２’の側面との間隔が比較的大きいので、溶射ガン４をハンガ座１ｃ’に近づけた状態でケース部材２’側に倒すことが可能となり、ケース部材２’の側面に対向する面に良好に付着させることができる。
【０００５】
本発明は、所定の形状に成形されたケース部材との間に空間部を形成するケース付属部材をケース部材に溶接により取り付けて構成されるケース本体に対し、溶射される金属をケース付属部材の内側の面全体に良好に付着するようにした屋外用電気機器ケースを提供することを課題としている。
【０００６】
【課題を解決するための手段】
本発明は、所定の形状に成形されたケース部材との間に空間部を形成するケース付属部材をケース部材の外部に取り付けた屋外用電気機器ケースに係わるものである。
【０００７】
請求項１に記載の発明は、ケース部材の開口部の端部は外側にカールされており、ケース付属部材が空間部を形成する面のうちケース部材と対向する面を、ケース付属部材で覆われるケース部材の面に対して傾斜するようにしたものである。
【０００８】
上記の請求項１の発明においては、ケース部材と対向するケース付属部材の面を傾斜させることにより、金属溶射被膜処理する際に、ケース部材の開口部の端部の外側のカール部に邪魔されずに、溶射された金属の吹き付け方向に、ケース部材２と対向するケース付属部材の面が存在するために、この面に溶射された金属が直接当たるようになる。
【０００９】
請求項２に記載の発明は、ケース付属部材が空間部を形成する面のうちケース部材と対向する面を、ケース付属部材で覆われるケース部材の面に対して５°〜３０°傾斜するようにしたものである。
【００１０】
上記の請求項２の発明においては、５°〜３０°傾斜することによってさらに溶射された金属を良好に付着させることができる。
【００１１】
請求項３及び４に記載の発明は、ケース付属部材をコ字状に成形された吊耳座またはカバー固定座としたものである。
【００１２】
上記の請求項３及び４の発明においては、コ字状に成形した吊耳座またはカバー固定座としたことにより、これらのケース付属部材が空間部を形成する面のうちケース部材と真正面に対向する面のみに対する若干の変更でよいために、コストアップが殆ど生じない。また、溶射ガンを従来と同様な位置関係のままでよいために、ケース付属部材以外のケース部材を変更する必要がない。
【００１３】
【発明の実施の形態】
図１（Ａ），（Ｂ）はそれぞれ、本発明に係る屋外用電気機器ケースの一実施形態を示す正面図及び上面図である。図示するように、吊耳座１ａ、カバー固定座１ｂ、ハンガ座１ｃのケース付属部材１は、図３と同様にケース部材２にそれぞれ取り付けられ、ケース本体３が作製される。なお、図１に示す左側の吊耳座１ａはカバー固定座を兼用している。また図１は、ケース部材２の上端の開口部を閉鎖するカバーを省略して示している。
【００１４】
吊耳座１ａ、カバー固定座１ｂ、ハンガ座１ｃは、図１（Ｂ）に示すようにコ字状に成形されるが、従来では吊耳座１ａ’ 、カバー固定座１ｂ’が空間部を形成する面のうちケース部材２’と対向する面Ｓａ’が、図３（Ａ）に示したようにケース付属部材１’で覆われるケース部材２’の面に対して通常平行に成形されていたのに対し、本実施形態では、ケース部材２と対向する吊耳座１ａ及びカバー固定座１ｂの面Ｓａがそれぞれ、図１（Ａ）に示すように傾斜される。ケース付属部材１を傾斜させる傾きは、大きい程よいが、溶射ガン４のケース本体３に対する位置関係及びケース付属部材１の大きさを考慮して適宜に選定すればよく、好ましくは５°〜３０°である。なお、吊耳座１ａ及びカバー固定座１ｂに傾斜する部分を設けても本来の機能に何ら支障は生じない。
【００１５】
このようなケース本体３に対し、図２に示すように、溶射ガン４を従来と同様な位置関係のままで吊耳座１ａ、カバー固定座１ｂにより形成された空間部に向けて溶射すると、溶射された金属の放出方向に、ケース部材２と対向する吊耳座１ａ及びカバー固定座１ｂの面Ｓａが存在しているので、この面に溶射された金属が直接当るようになり、したがって溶射された金属を良好に付着させることができる。
【００１６】
本実施形態では、図１（Ａ）に示すように、吊耳座１ａ 、カバー固定座１ｂが空間部を形成する面のうちケース部材２と対向する面Ｓａを、ケース本体の上方に広がるように傾斜させたが、溶射ガン４のケース本体３に対する適正な位置関係の確保に支障がなければ、ケース本体の下方に広がるように傾斜させてもよい。
【００１７】
本発明に係るケースとしては、電柱に設置される配電用変圧器のケースの他、地上設置型変圧器用外箱、気中開閉器ケース、自動電圧調整装置用ケース等のいずれの屋外用電気機器ケースにも適用できる。
【００１８】
【発明の効果】
以上のように、請求項１に記載した発明によれば、ケース部材と対向するケース付属部材の面を傾斜させるようにしたので、金属溶射被膜処理する際に、この面に溶射された金属が直接当たるようになり、したがって溶射された金属をケース付属部材の内側の面全体に良好に付着させることができる。
【００１９】
請求項３及び４に記載した発明によれば、ケース付属部材をコ字状に成形した吊耳座またはカバー固定座とするようにしたので、ケース付属部材以外のケース部材を変更する必要がなくなり、したがってケース本体の製作に伴うコストアップを殆ど生じさせることなく、溶射された金属をケース付属部材の内側の面全体に良好に付着させることができる。
【図面の簡単な説明】
【図１】  （Ａ）は本発明に係る屋外用電気機器ケースのケース本体の一実施形態を示す正面図、（Ｂ）は上面図である。
【図２】  本発明に係る屋外用電気機器ケースのケース本体に対して金属溶射被膜処理を行っている状態を示す図である。
【図３】  （Ａ）は従来の屋外用電気機器ケースのケース本体の正面図、（Ｂ）は上面図である。
【図４】  従来の屋外用電気機器ケースのケース本体に対して金属溶射被膜処理を行ってい状態を示す図である。
【符号の説明】
１  ケース付属部材
２  ケース部材
３  ケース本体
【図１】
0004350223.tif 000002
【図２】
0004350223.tif 000003
【図３】
0004350223.tif 000004
【図４】
0004350223.tif 000005